(57)【要約】【課題】ローラー溝を備えた振止めローラをガイド斜面に沿って乗り上げ誘導してピボット穴に確実に落ち込み係合できる、厚み寸法が小さなバリアフリー対応の下ガイドレールに好適なフリー折戸用のソケット型のキャッチ構造を提供する。【解決手段】床面に締結固定される取付座３２と、規制枠３３と、レール溝２７に嵌まり込む軸受座３４などでソケット３１を構成する。軸受座３４にはピボット穴３５と、振止めローラー１９を乗り上げ案内するガイド斜面３６を形成する。ガイド斜面３６に臨む締結座３２および規制枠３３に、矯正ガイド面３７・３８を形成する。以て、振止めローラー１９を矯正ガイド面２７で、レール溝２７の前後中心位置へ向かって矯正移動操作したのち、ガイド斜面３６で乗り上げ案内する。【選択図】図１
2010047923.tif 000002
【特許請求の範囲】
【請求項１】
床面上に固定されるバリアフリー対応の下ガイドレール（２）に適用されて、戸パネル（３）の吊元側の下部に装着した振止めランナー（６）を係脱可能に軸支するフリー折戸用のソケット型のキャッチ構造であって、
振止めランナー（６）は、縦軸回りに回動可能に支持される振止めローラー（１９）と、振止めローラー（１９）を押し下げ付勢するばね（２０）と、ばね（２０）および振止めローラー（１９）のローラー軸（２１）を収容するケース（１８）とを含み、
振止めローラー（１９）には、下ガイドレール（２）に設けた規制リブ（２８）と係合して振止めランナー（６）の抜け外れを防ぐローラー溝（２５）が形成されており、
キャッチ構造を構成するソケット（３１）は、床面に締結固定される取付座（３２）と、下ガイドレール（２）のレール溝（２７）の内部に嵌まり込む軸受座（３４）と、軸受座（３４）に凹み形成されるピボット穴（３５）と、下ガイドレール（２）に沿って移行する振止めローラー（１９）を軸受座（３４）の一端からピボット穴（３５）の開口面へ向かって乗り上げ案内するガイド斜面（３６）を一体に備えており、
ガイド斜面（３６）に臨む締結座（３２）に、前後方向へ偏寄した振止めローラー（１９）を下ガイドレール（２）のレール溝（２７）の中心位置へ向かって矯正移動操作する矯正ガイド面（３７）が形成してあるフリー折戸用のソケット型のキャッチ構造。
【請求項２】
矯正ガイド面（３７）が、ガイド斜面（３６）の突端より側方へ突出する状態で設けられており、
振止めローラー（１９）がガイド斜面（３６）に接当するのに先行して、振止めローラー（１９）を矯正ガイド面（３７）で下ガイドレール（２）のレール溝（２７）の中心位置へ向かって矯正移動できる請求項１記載のフリー折戸用のソケット型のキャッチ構造。
【請求項３】
ソケット（３１）が、下ガイドレール（２）の上面を覆う締結座（３２）および規制枠（３３）と、締結座（３２）と規制枠（３３）との間に凹み形成される軸受座（３４）とを一体に備えており、
締結座（３２）の前面と規制枠（３３）の後面のそれぞれに矯正ガイド面（３７・３８）が前後対向状に形成してある請求項１または２に記載のフリー折戸用のソケット型のキャッチ構造。
【請求項４】
軸受座（３４）の左右両端のそれぞれにガイド斜面（３６）が形成されており、
少なくとも左右のガイド斜面（３６）に臨む締結座（３２）の左右両端のそれぞれに矯正ガイド面（３７）が形成されており、
ソケット（３１）の取付座（３２）が開口枠より後側の第２区室の床面に配置されて締結ねじ（４２）で締結固定されている請求項１、２または３に記載のフリー折戸用のソケット型のキャッチ構造。
【請求項５】
振止めローラー（１９）が、下ガイドレール（２）の上面で受け止められるフランジ（２３）と、フランジ（２３）の下面に突設されるローラー部（２４）と、ローラー部（２４）のフランジ（２３）側の基端周面に凹み形成されるローラー溝（２５）とを備えており、
ピボット穴（３５）が、ローラー部（２４）の左右周面を受け止める上拡がり状の左右一対の部分テーパー面（４０）と、ローラー部（２４）の前後周面を受け止める前後一対の縦壁（４１）とで形成されている請求項１、２、３または４に記載のフリー折戸用のソケット型のキャッチ構造。
【請求項６】
軸受座（３４）の上面が下ガイドレール（２）の上面より上方へ突出されて、軸受座（３４）の上面から底面の近傍にわたってピボット穴（３５）が凹み形成されており、
締結座（３２）および規制枠（３３）の上面が軸受座（３４）の上面より上方へ突出してある請求項２から５のいずれかに記載のフリー折戸用のソケット型のキャッチ構造。
【請求項７】
振止めローラー（１９）のオーバーランを防ぐストッパー（４７）を備えており、
前記ストッパー（４７）が、ソケット（３１）に設けた左右一対の装着溝（５０）のいずれか一方に装着されて、ピボット穴（３５）に臨ませてある請求項２から６のいずれかに記載のフリー折戸用のソケット型のキャッチ構造。
【発明の詳細な説明】
【技術分野】
【０００１】
本発明は、フリー折戸に適用されて戸パネルに設けた振止めローラーを係脱可能に軸支するキャッチ構造、なかでもバリアフリー対応の厚み寸法が小さな下ガイドレールに好適なソケット型のキャッチ構造に関する。
【背景技術】
【０００２】
フリー折戸においては、ランナーユニットや振止めローラーなどをキャッチ構造で係脱自在に係合捕捉するが、従来のこの種のキャッチ構造には大別してふたつの形態がある。そのひとつは、弾性変形可能な前後一対の係合腕で戸パネルの吊元側のランナー軸を回動可能に軸支する、いわば弾性腕型のキャッチ構造である（特許文献１、２参照）。
【０００３】
もう一つのキャッチ構造は、ガイドレール側にピボット穴を備えたソケットを固定しておき、振止めローラーをソケットのピボット穴に落ち込み係合させて戸パネルを回動可能に軸支する、いわばソケット型のキャッチ構造である（特許文献３参照）。ソケットには、振止めローラーをピボット穴へ乗り上げ誘導するためのガイド斜面が設けてある。
【０００４】
【特許文献１】実用新案登録第２５５８６９６号公報（段落番号０００７、図３）
【特許文献２】特許第４０８９４１０号公報（段落番号００３０、図３）
【特許文献３】特開平１０−２３１６５５号公報（段落番号００２１、図１）
【発明の開示】
【発明が解決しようとする課題】
【０００５】
弾性腕型のキャッチ構造は、例えばランナーユニットのランナー軸を一対の弾性腕で係合捕捉するので、キャッチ構造を簡素化し低コスト化できる。しかし、一対の弾性腕の弾性力のみでランナー軸の捕捉状態を維持するので、ランナー軸の係脱を繰り返し行うとき弾性腕が疲労破壊に陥りやすく、長期使用時の信頼性に欠ける。
【０００６】
その点、ソケット型のキャッチ構造では、ばねの押し下げ力で振止めローラーの係合状態を保持するので、ソケットや振止めローラーが疲労破壊することはない。しかし、バリアフリー対応の厚みが小さな下ガイドレールでは、振止めローラーのピボット穴に対する落ち込み寸法を確保するのが難しいため、ソケット型のキャッチ構造を適用するのが困難となる。先の落ち込み寸法が小さいと、振止めローラーがピボット穴から抜け外れやすくなり、あるいは、ソケットの構造強度を充分に確保するのが難しくなる。また、戸パネルと床面との間の隙間寸法が小さい場合には、振止めローラーの上下方向の可動寸法が制約されるため、振止めローラーをピボット穴に対して確実に係合させるのがさらに困難となる。因みに、特許文献３に見られるように、床面に凹み形成した溝に下ガイドレールを嵌め込み装着する場合には、レール溝の深さを充分に確保できるので、ソケット型のキャッチ構造を適用することになんら支障はない。
【０００７】
抜け出し防止のために、下ガイドレールの規制リブと係合するローラー溝が設けてある振止めローラーの場合には、振止めローラーをガイド斜面に沿って乗り上げ案内するとき、ローラー溝が規制リブに引っ掛かることがあり、そのため、振止めローラーをピボット穴に円滑に落ち込み係合できないことがある。とくに、バリアフリー対応の厚みが小さな下ガイドレールでは、先のような抜け出し防止構造が不可欠であるうえ、戸パネルをＶ字状に折った状態では、振止めローラーに傾動モーメントが作用して、先のローラー溝が片方の規制リブと係合するので、振止めローラーをピボット穴に円滑に落ち込み係合するのがさらに困難となる。場合によっては、振止めローラーををピボット穴に落ち込み係合させ、あるいはピボット穴から抜き外した振止めローラーを下ガイドレールに適正に復帰係合させる際に、折り曲げた状態の戸パネルを垂直に支持するなどの補助操作が必要となる。
【０００８】
本発明の目的は、ローラー溝を備えている振止めローラーをガイド斜面に沿って確実に乗り上げ誘導してピボット穴に確実に落ち込み係合でき、あるいはピボット穴から離脱させた振止めローラーを的確に下ガイドレールに係合案内できるフリー折戸用のソケット型のキャッチ構造を提供することにある。本発明の目的は、厚み寸法が小さなバリアフリー対応の下ガイドレールに好適なフリー折戸用のソケット型のキャッチ構造を提供することにある。本発明の目的は、戸パネルと床面との間の隙間寸法が小さい場合にも、振止めローラーの落ち込み寸法を充分に確保して戸パネルを円滑に折り畳み開閉でき、さらにソケットの構造強度を充分に確保できるフリー折戸用のソケット型のキャッチ構造を提供することにある。本発明の目的は、既存の下ガイドレールに対して付加装着し、あるいは従来のキャッチ構造と換装して、振止めローラーを的確に係脱できるフリー折戸用のソケット型のキャッチ構造を提供することにある。
【課題を解決するための手段】
【０００９】
本発明は、床面上に固定されるバリアフリー対応の下ガイドレール２に適用されて、戸パネル３の吊元側の下部に装着した振止めランナー６を係脱可能に軸支するフリー折戸用のソケット型のキャッチ構造を対象とする。振止めランナー６は、縦軸回りに回動可能に支持される振止めローラー１９と、振止めローラー１９を押し下げ付勢するばね２０と、ばね２０および振止めローラー１９のローラー軸２１を収容するケース１８とを含む。振止めローラー１９には、下ガイドレール２に設けた規制リブ２８と係合して振止めランナー６の抜け外れを防ぐローラー溝２５が形成してある。キャッチ構造を構成するソケット３１は、床面に締結固定される取付座３２と、下ガイドレール２のレール溝２７の内部に嵌まり込む軸受座３４と、軸受座３４に凹み形成されるピボット穴３５と、下ガイドレール２に沿って移行する振止めローラー１９を軸受座３４の一端からピボット穴３５の開口面へ向かって乗り上げ案内するガイド斜面３６を一体に備えている。ガイド斜面３６に臨む締結座３２に、前後方向へ偏寄した振止めローラー１９を下ガイドレール２のレール溝２７の中心位置へ向かって矯正移動操作する矯正ガイド面３７を形成する。
【００１０】
矯正ガイド面３７は、ガイド斜面３６の突端より側方へ突出する状態で設ける。以て、振止めローラー１９がガイド斜面３６に接当するのに先行して、振止めローラー１９を矯正ガイド面３７で下ガイドレール２のレール溝２７の中心位置へ向かって矯正移動できるようにする。
【００１１】
ソケット３１は、下ガイドレール２の上面を覆う締結座３２および規制枠３３と、締結座３２と規制枠３３との間に凹み形成される軸受座３４とを一体に備えている。締結座３２の前面と規制枠３３の後面のそれぞれに矯正ガイド面３７・３８を前後対向状に形成する。
【００１２】
軸受座３４の左右両端のそれぞれにガイド斜面３６を形成する。少なくとも左右のガイド斜面３６に臨む締結座３２の左右両端のそれぞれに矯正ガイド面３７を形成する。ソケット３１の取付座３２は開口枠より後側の第２区室の床面に配置して締結ねじ４２で締結固定する。
【００１３】
振止めローラー１９は、下ガイドレール２の上面で受け止められるフランジ２３と、フランジ２３の下面に突設されるローラー部２４と、ローラー部２４のフランジ２３側の基端周面に凹み形成されるローラー溝２５とを備えている。ピボット穴３５は、ローラー部２４の左右周面を受け止める上拡がり状の左右一対の部分テーパー面４０と、ローラー部２４の前後周面を受け止める前後一対の縦壁４１とで形成する。
【００１４】
軸受座３４の上面を下ガイドレール２の上面より上方へ突出して、軸受座３４の上面から底面の近傍にわたってピボット穴３５を凹み形成する。締結座３２および規制枠３３の上面を軸受座３４の上面より上方へ突出する。
【００１５】
振止めローラー１９のオーバーランを防ぐストッパー４７を備えている。ストッパー４７は、ソケット３１に設けた左右一対の装着溝５０のいずれか一方に装着されて、ピボット穴３５に臨ませてある。
【発明の効果】
【００１６】
本発明では、取付座３２、軸受座３４、軸受座３４に凹み形成されるピボット穴３５などでソケット３１を構成し、振止めローラー１９をピボット穴３５に係脱できるようにした。また、軸受座３４に振止めローラー１９を乗り上げ案内するガイド斜面３６を設け、ガイド斜面３６に臨む締結座３２に矯正ガイド面３７を設けて、前後方向へ偏寄した振止めローラー１９を矯正ガイド面３７で下ガイドレール２のレール溝２７の中心位置へ向かって矯正移動操作できるようにした。
【００１７】
上記のように、振止めローラー１９を矯正ガイド面３７で矯正移動操作すると、ローラー溝２５と規制リブ２８の係合状態を強制的に解除して、振止めローラー１９をガイド斜面３６に沿って確実に乗り上げ誘導し、ピボット穴３５に確実に落ち込み係合できる。また、ソケット３１を下ガイドレール２の外面に組み付けて床面に固定するので、既存の下ガイドレール２に対して付加装着し、あるいは従来のキャッチ構造と換装して、振止めローラー１９を的確に係脱できるキャッチ構造が得られる。
【００１８】
矯正ガイド面３７をガイド斜面３６の突端より側方へ突出する状態で設けると、振止めローラー１９がガイド斜面３６で押し上げ案内されるのに先行して、前後方向へ偏寄した振止めローラー１９を矯正ガイド面３７で下ガイドレール２のレール溝２７の中心位置へ向かって矯正移動操作できる。したがって、ローラー溝２５と規制リブ２８の係合状態を強制的に解除して、振止めローラー１９をガイド斜面３６に沿って確実に乗り上げ誘導し、ピボット穴３５に確実に落ち込み係合できる。とくに、抜け出し防止構造が不可欠な、厚みが小さなバリアフリー対応の下ガイドレール２に好適なソケット型のキャッチ構造とすることができる。
【００１９】
締結座３２および規制枠３３と、これら両者３２・３３の間に凹み形成される軸受座３４などを一体に設け、締結座３２の前面と規制枠３３の後面のそれぞれに矯正ガイド面３７・３８を前後対向状に形成したソケット３１によれば、ピボット穴３５に落ち込む前の振止めローラー１９を前後一対の矯正ガイド面３７・３８で位置決めできるので、さらに的確に振止めローラー１９をピボット穴３５に落ち込み係合できる。また、ピボット穴３５から離脱させた振止めローラー１９をレール溝２７に係合させる場合にも、振止めローラー１９を前後一対の矯正ガイド面３７・３８で移行案内して、適正に下ガイドレール２のレール溝２７に係合させることができる。
【００２０】
軸受座３４の左右両端のそれぞれにガイド斜面３６を形成し、少なくともガイド斜面３６に臨む締結座３２の左右両端のそれぞれに矯正ガイド面３７を形成するソケット３１によれば、ソケット３１を右勝手のパネル対Ｐと左勝手のパネル対Ｐに共通して使用できるので、その分だけキャッチ構造を低コスト化できる。また、取付座３２を第２区室の床面に複数の締結ねじ４２で締結固定するので、ガイドレールに対してビスで締結される従来のキャッチ構造に比べて、ソケット３１をより強固に固定して、傾動モーメントが作用する振止めローラー１９を常に適正に軸支できる。
【００２１】
ピボット穴３５を左右一対の部分テーパー面４０と前後一対の縦壁４１とで構成すると、振止めローラー１９をピボット穴３５に落ち込み係合させた状態において、ローラー部２４の前後周面を縦壁４１で受け止めることができる。したがって、パネル対Ｐを開閉揺動するとき、振止めローラー１９が前後に遊動するのを縦壁４１で規制して、より安定した状態でパネル対Ｐを開閉操作できる。また、振止めローラー１９をピボット穴３５から離脱させて、パネル対Ｐをフリー折戸状態とする場合には、ローラー部２４を上拡がり状の部分テーパー面４０で押し上げ案内して、振止めローラー１９をピボット穴３５から円滑に抜き出すことができ、全体として振止めローラー１９のソケット３１に対する係脱操作を確実にしかも容易に行なえる。
【００２２】
軸受座３４の上面を下ガイドレール２の上面より上方へ突出して、軸受座３４の上面から底面の近傍にわたってピボット穴３５を凹み形成すると、振止めローラー１９の落ち込み寸法を充分に確保できる。したがって、バリアフリー対応の厚みが小さな下ガイドレール２が適用対象である場合や、戸パネル３と床面との間の隙間寸法が小さい場合にも、振止めローラー１９の落ち込み寸法を確保してパネル対Ｐを円滑に折り畳み開閉できる。また、軸受座３４の厚み寸法が大きい分だけソケット３１の構造強度を向上できる。締結座３２および規制枠３３の上面を軸受座３４の上面より上方へ突出すると、振止めローラー１９が軸受座３４の上面に乗り上がった状態においても、振止めローラー１９を前後の矯正ガイド面３７・３８で受け止めて、振止めローラー１９がソケット３１から脱落するのを阻止できる。
【００２３】
ピボット穴３５の一側に臨んでストッパー４７を配置すると、パネル対Ｐが勢いよく吊元側へ移動操作されるような場合に、軸受座３４に乗り上がった振止めローラー１９がピボット穴３５を飛び越してオーバーランするのをストッパー４７で阻止できる。したがって、パネル対Ｐが乱暴に移動操作されるような場合であっても、振止めローラー１９をピボット穴３５に的確に落ち込み係合させて、パネル対Ｐを適正にピボット支持できる。また、ストッパー４７をソケット３１に設けた左右一対の装着溝５０のいずれか一方に装着してピボット穴３５に臨ませることにより、右勝手のパネル対Ｐと左勝手のパネル対Ｐに対応してストッパー４７の装着位置を変更するだけで、ソケット３１を共通して使用できる。
【発明を実施するための最良の形態】
【００２４】
（実施例）  図１ないし図８は本発明に係るフリー折戸におけるソケット型のキャッチ構造の実施例を示す。図２においてフリー折戸は、クローゼットの開口面に設けた２組のパネル対Ｐ・Ｐで構成してあり、各パネル対Ｐが開口枠の上枠に固定される上ガイドレール１と、床面に締結固定される下ガイドレール２とで屈折自在に開閉案内してある。パネル対Ｐを構成する戸パネル３・３は、ヒンジ４を介して折り畳み可能に連結してある。
【００２５】
各パネル対Ｐは、その上隅の左右に装着したランナーユニット５・５を介して上ガイドレール１で吊持されており、さらに各パネル対Ｐの下隅の左右に装着した振止めランナー６・６が下ガイドレール２で移行案内してある。図２において、屈折したパネル対Ｐは開口枠より手前側の室内へ突出しており、以下においては、パネル対が突出する室内側を第１区室とし、クローゼットの内部を第２区室として説明する。なお、この実施例における前後および左右とは、図２に示す十字線と前後左右の文字表示に従うものとする。
【００２６】
図３においてランナーユニット５は、上ガイドレール１で左右方向に走行案内されるランナー本体１０と、戸パネル３の上隅に装着されるランナー台１１と、これら両者を連結するランナー軸１２などで構成してある。ランナー本体１０は、左右横長の走行ブロック１３と、走行ブロック１３の前後に左右一対ずつ配置した４個のローラー１４と、これらのローラー１４を遊転自在に軸支するローラー軸１５などで構成してある。上ガイドレール１は、下面側が開口する断面Ｃ字状のアルミニウム条材からなる。
【００２７】
振止めランナー６は、戸パネル３に下面側から嵌め込み固定されるケース１８と、ケース１８で縦軸回りに回動可能に支持される振止めローラー１９と、振止めローラー１９を押し下げ付勢する圧縮コイル形のばね２０などで構成してある。振止めローラー１９は金属製のローラー軸２１と、ローラー軸２１の下端に組み付けられて遊転自在に軸支されるローラー本体２２とで構成してあり、ローラー軸２１の上半部分がばね２０とともにケース１８内に収容してある。
【００２８】
ローラー本体２２は、下ガイドレール２の上面で受け止められるフランジ２３と、フランジ２３の下面に突設されるローラー部２４と、ローラー部２４のフランジ２３側の基端周面に凹み形成されるローラー溝２５とを一体に備えたプラスチック成形品からなる。下ガイドレール２は、上向きに開口する断面Ｃ字状のレール溝２７を備えたアルミニウム条材からなり、レール溝２７の開口縁には前後対向状に規制リブ２８が突設してある（図６参照）。ローラー溝２５は、下ガイドレール２に設けた規制リブ２７と係合して、振止めランナー６が下ガイドレール２から抜け外れるのを防ぐために設けてある。ローラー部２４の直径寸法は、前後の規制リブ２８の対向間隔より僅かに小さく設定してある（図６参照）。なお、図４および図６においてはレール溝２７と規制リブ２８の詳細構造のみを図示し、他の部分の詳細構造は省略して中実状に表示している。
【００２９】
上記のパネル対Ｐを開口枠の左右中央部分で開閉し、あるいは開口枠の左右いずれか一側へ折り畳み移動できるようにするために、ランナーユニット５のランナー軸１２をキャッチ構造３０で係脱可能に係合し、さらに振止めランナー６をソケット型のキャッチ構造で係脱可能に軸支している。前者キャッチ構造３０は上ガイドレール１の下面に固定してあり、パネル対Ｐを開閉操作することによってランナー軸１２がキャッチ構造３０で捕捉され、あるいはキャッチ構造３０から分離できるように構成してあるが、その構造に特長はないので説明を省略する。
【００３０】
図４ないし図６に示すように、後者のキャッチ構造を構成するソケット３１は、下ガイドレール２の上面を覆う締結座３２および規制枠３３と、締結座３２と規制枠３３との間に凹み形成される軸受座３４とを一体に備えたプラスチック成形品からなる。軸受座３４の上面は、下ガイドレール２の上面より上方へ突出させてあり、締結座３２および規制枠３３の上面は、軸受座３４の上面より上方へ突出されている。このように、軸受座３４の上面を下ガイドレール２の上面より上方へ突出させることにより、厚み寸法が小さな（５ｍｍ）バリアフリー対応の下ガイドレール２において、振止めローラー１９のピボット穴３５に対する落ち込み係合寸法を充分に確保して、不用意に振止めローラー１９がソケット３１から分離するのを防止しながら、振止めローラー１９を係脱可能とすることができる。
【００３１】
軸受座３４の左右中央には、ローラー本体２２を落ち込み係合させるためのピボット穴３５が凹み形成してある。また、軸受座３４の左右両側には、下ガイドレール２に沿って移行する振止めローラー１９を、軸受座３４の側端からピボット穴３５の開口へ向かって乗り上げ案内するガイド斜面３６が形成してある。左右のガイド斜面３６に臨む締結座３２の前面および規制枠３３の後面のそれぞれには、矯正ガイド面３７・３８が前後対向状に形成してある。このように、ピボット穴３５の左右両側にガイド斜面３６を形成し、さらに左右のガイド斜面３６に対応して前後一対ずつの矯正ガイド面３７・３８を設けることにより、ソケット３１を右勝手のパネル対Ｐと左勝手のパネル対Ｐに共通して使用することができる。
【００３２】
図１および図５に示すように先に説明した左右の矯正ガイド面３７・３８の側端は、左右のガイド斜面３６の側端より外側方へ突出する状態で形成する。このように、矯正ガイド面３７・３８をガイド斜面３６の突端より外側方へ突出させると、振止めローラー１９のローラー部２４が斜面３６に接当するのに先行して、振止めローラー１９のフランジ２３を矯正ガイド面３７・３８で受け止めることができる。したがって、振止めローラー１９を矯正ガイド面３７・３８で下ガイドレール２のレール溝２７の中心位置へ向かって矯正移動させて、ローラー溝２５と規制リブ２８の係合関係を解除したのち、振止めローラー１９をガイド斜面３６で乗り上げ案内して、ピボット穴３５に円滑に落ち込み係合できる。その詳細は後述する。図７に示すように矯正ガイド面３７・３８の側端には、導入ガイド面３７ａ・３８ａが斜めに形成してある。図４および図８に示すようにピボット穴３５は、ローラー部２４の左右周面を受け止める上拡がり状の左右一対の部分テーパー面４０と、ローラー部２４の前後周面を受け止める前後一対の縦壁４１とで長円状に形成する。
【００３３】
以上のように構成したソケット３１は、軸受座３４を下ガイドレール２のレール溝２７の内部に嵌め込んだ状態で、締結座３２を第２区室側の床面に２個のビス（締結ねじ）４２で締結する。この締結状態においては、図５および図６に示すように締結座３２、軸受座３４、および規制枠３３が下ガイドレール２に密着して、同レール２を押さえ込んでおり、しかも下ガイドレール２の後方において締結座３２の２個所が床面に固定される。したがって、戸パネル３が乱暴に開閉されて、振止めローラー１９が矯正ガイド面３７・３８やガイド斜面３６が衝突するような場合であっても、ソケット３１がレール溝２７に沿ってずれ動くことはなく、また軸受座３４が前後に回動変位するのを下ガイドレール２で規制して、ソケット３１の装着姿勢を適正に保持できる。このときのガイド斜面３６の下端は、レール溝２７の溝底に臨んでいる。床面に固定したソケット３１は、下ガイドレール２より大きく突出するが、その固定位置が開口枠の両側の吊元側にあり、しかも締結座３２を第２区室内に位置させるので、ソケット３１がバリアフリーの阻害要因になることはない。
【００３４】
吊元側の振止めローラー１９がソケット３１から分離して、パネル対Ｐが自由に左右移動できる状態、いわゆるフリー折戸状態を図７に示している。この状態のパネル対Ｐは、例えば開口枠の任意の左右位置へ移動でき、あるいは隣接するパネル対Ｐと共に開口枠の一側にまとめて折り畳み収納できる。折り畳まれたパネル対Ｐの戸パネル３は第１区室側へ突出する。そのため、振止めローラー１９には傾動モーメントが作用し、図７の拡大図に示すように、ローラー溝２５の後面が後側の規制リブ２８と係合して、それ以上傾動するのが下ガイドレール２で規制される。結果、ローラー本体２２の中心は、下ガイドレール２のレール溝２７の前後中央から後方へ偏った位置にある。
【００３５】
上記の状態から、パネル対Ｐを図７に向かって左側へ移動させると、吊元側の振止めローラー１９のフランジ２３の後周面が締結座３２の導入ガイド面３７ａに接当し、矯正ガイド面３７へと案内される。矯正ガイド面３７で受け止められた振止めローラー１９は、その中心が下ガイドレール２のレール溝２７の前後中央位置へ向かって矯正移動される。このように矯正移動した状態では、ローラー溝２５と規制リブ２８との係合が解除されるので、ローラー本体２０は規制リブ２８に邪魔されることもなくローラー軸２１と共に上下変位できる。なお、振止めローラー１９のが締結座３２側の矯正ガイド面３７で矯正移動されるとき、振止めローラー１９の前周面は規制枠３３側の矯正ガイド面３８で受け止められるので、振止めローラー１９がレール溝２７の前後中央を越えて前方へ過剰に移動するのを阻止できる。
【００３６】
振止めローラー１９が前後の矯正ガイド面３７・３８で位置規制された後、図８（ａ）に示すようにローラー部２４の側周面がガイド斜面３６の下方に接当する。そのため振止めローラー１９は、図８（ｂ）に示すようにガイド斜面３６に案内されて、ばね２０の押し下げ力に抗しながら軸受座３４の上面に乗り上がり、やがて図１に示すようにピボット穴３５に落ち込み係合する。ランナーユニット５のランナー軸１２も、同時にキャッチ構造３０で係合捕捉される。
【００３７】
ピボット穴３５に係合したローラー本体２２は、図６に示すように、フランジ２３の下面前後が軸受座３４の上面で受け止められ、同時にフランジ２３の前後周面が矯正ガイド面３７・３８で前後に遊動規制されている。さらに、ローラー部２４の前後周面がピボット穴３５の縦壁４１で前後に遊動規制されている。したがって、戸パネル３がローラー軸２１の軸芯を中心にして開閉回動するとき、戸パネル３の重量による傾動モーメントが振止めローラー１９に作用したとしても、ローラー本体２２がピボット穴３５から抜き出すことはなく、適正な係合状態を維持し続けることができる。この状態のローラー部２４は、図１に示すように部分テーパー面４０から離れているか、左右いずれか一方のローラー周面が部分テーパー面４０で受け止められた状態になっている。
【００３８】
振止めローラー１９をピボット穴３５から離脱させて、パネル対Ｐを再びフリー折戸状態にするときは、ローラー部２４の右側のローラー周面が部分テーパー面４０に接当し、部分テーパー面４０に案内されて、ばね２０の押し下げ力に抗しながら軸受座３４の上面に乗り上がる。さらに、ローラー部２４はガイド斜面３６で案内されながらレール溝２７内へ滑り落ちてゆく。この間にも、フランジ２３は前後の矯正ガイド面３７・３８で移行案内されるので、ローラー部２４を確実にレール溝２７に落ち込ませて、フランジ２３を下ガイドレール２の上面に接当できる。
【００３９】
軸受座３４の上面を下ガイドレール２の上面より上方へ突出させて、ピボット穴３５の上下深さを充分に確保するので、振止めローラー１９がソケット３１のピボット穴３５から抜け出るのをよく防止できる。また、戸パネル３と床面との間の隙間寸法が小さい場合にも、振止めローラー１９のピボット穴３５に対する落ち込み寸法を充分に確保して戸パネル３を円滑に折り畳み開閉できる。さらにソケット３１の構造強度を充分に確保でき、厚み寸法が小さなバリアフリー対応の下ガイドレール２に好適なソケット型のキャッチ構造とすることができる。ソケット３１は、必要に応じて既存の下ガイドレール２に対して付加装着することができ、あるいは従来のキャッチ構造と換装して使用することができる。
【００４０】
図９および図１０はソケット３１をプレス成形品で形成した別の実施例を示す。そこでは、下ガイドレール２の上面を覆う締結座３２と、締結座３２の前面の矯正ガイド面３７に連続して折り曲げ形成される左右一対の接合座４４と、両接合座４４の間に設けられる軸受座３４とを一体に折り曲げ形成してソケット３１を構成した。上記の実施例における規制枠３３は省略した。
【００４１】
軸受座３４と接合座４４とはガイド斜面３６を介して連続しており、軸受座３４およびガイド斜面３６に臨む締結座３２の前部には切欠４５が形成してある。この場合の締結座３２は、床面に接合される座壁３２ａと、下ガイドレール２の上面を覆うカバー壁３２ｂとで階段状に折り曲げて形成してある。また、軸受座３４の上面は、規制リブ２８の下面の高さと同じ高さに設定してある。ピボット穴３５は左右一対の部分テーパー面４０とこれらを繋ぐ底壁とで構成してある。
【００４２】
図１０に示すように振止めローラー１９をピボット穴３５に落ち込み係合した状態においては、ローラー部２４がピボット穴３５で位置保持される。このときのローラー溝２５と規制リブ２８とは非係合状態にあり、ローラー本体２２の中心は概ねレール溝２７の前後中心に一致している。他は先の実施例と同じであるので同じ部材に同じ符号を付してその説明を省略する。以下の実施例においても同様に重複する説明を省略する。
【００４３】
図１１および図１２は、図１〜図８で説明したソケット３１に、振止めローラー１９のオーバーランを防ぐストッパー４７を付加したものである。ストッパー４７は、ピボット穴３５に臨む状態で軸受座３４の上面を前後に横断する角棒状のブロックからなり、その下面の前後端に係合爪４８が一体に設けてある。締結座３２と規制枠３３の対向面の左右２個所には、ストッパー４７を装着するための装着溝５０が形成してある。ストッパー４７は、ソケット３１を右勝手で使用する場合と、左勝手で使用する場合とで、左右の装着溝５０のいずれか一方に装着されて、係合爪４８が装着溝５０の下端の段部５１に係合する。このように、ストッパー４７を備えたソケット３１によれば、パネル対Ｐが乱暴に移動操作されるような場合であっても、振止めローラー１９がピボット穴３５を飛び越して過剰に移動するのを阻止して、振止めローラー１９を的確にピボット穴３５に落ち込み係合できる。
【００４４】
図１３および図１４は、ソケット３１のさらに別の実施例を示す。そこでは、下ガイドレール２の上面を覆う締結座３２と、締結座３２の外側方へ連出される前後一対の規制枠５５・５６と、両規制枠５５・５６の間に凹み形成される軸受座３４とでソケット３１を構成した。締結座３２の下半部分と軸受座３４とは、レール溝３７に嵌め込まれて１個のビス（締結ねじ）４２で床面に固定される。両規制枠５５・５６の対向面のそれぞれには、矯正ガイド面３７・３８が形成してある。この実施例における軸受座３４は左側に隣接する締結座３２と連続しているので、その右側端に限ってガイド斜面３６が形成してある。また、部分テーパー面４０は、ピボット穴３５のガイド斜面３６側の半周面に限って形成してある。この実施例における締結座３２は、先の実施例におけるストッパー４７を兼ねている。ソケット３１は右勝手と左勝手のいずれにも適用できる。
【００４５】
図１５および図１６は、ソケット３１のさらに別の実施例を示す。そこでは、締結座３２とキャッチ体７０とでソケットを構成した。キャッチ体７０は、連結座７１と、連結座７１の外側方へ連出される前後一対の規制枠７２・７３と、両規制枠７２・７３の間に凹み形成される軸受座３４とを一体に備えている。連結座７１には長円状の連結穴７４が上下貫通状に形成してあり、軸受座３４にはピボット穴３５とガイド斜面３６が形成してある。両規制枠７２・７３の対向面のそれぞれには、矯正ガイド面３７・３８が形成してある。締結座３２には、先の連結座７１の上面に接合される連結壁７６が設けてあり、その下面に連結穴７４と嵌合する連結突起７７が一体に形成してある。この実施例における締結座３２は、ストッパー４７を兼ねている。
【００４６】
キャッチ体７０の連結座７１と軸受座３４をレール溝３７に嵌め込んだのち、締結座３２の連結突起７７を連結穴７４に係合しながら、連結壁７６を連結座７１の上面に密着接合することにより、締結座３２とキャッチ体７０をＬ字状に組むことができる。この状態で締結座３２を第２区室の床面にビス（締結ねじ）４２で固定することにより、キャッチ体７０を確りと固定することができる。ソケット３１は左勝手と右勝手とで共通して使用でき、ソケット３１を下ガイドレール２の右端側に組むときは、キャッチ体７０の向きを左右に反転し、その上面に締結座３２を接合して第２区室の床面にビス４２で固定するとよい。この実施例のように、ソケット３１を締結座３２とキャッチ体７０とで構成すると、左右勝手の違いに容易に対応できるうえ、ソケット３１をコンパクトに構成できる利点もある。
【００４７】
図１７および図１８は、ソケット３１を開発する過程で、機能比較のために試作したキャッチ構造を示している。図１５のキャッチ構造は、締結座５７とＹ字状に分岐形成される一対の捕捉腕５８とを一体に備えており、一対の捕捉腕５８の間の捕捉凹部５９でフランジ２３の後周面を受け止めるようにした。捕捉凹部５９の両側には、ガイド面６０が斜めに形成してある。
【００４８】
図１５のキャッチ構造は、締結座５７と、締結座５７で前後スライド自在に案内支持されるキャッチ体６２と、これら両者５７・６２の間に配置されてキャッチ体６２を前方へ進出付勢する圧縮コイル形のばね６３とで構成した。キャッチ体６２には、フランジ２３の後周面を受け止める捕捉凹部５９を凹み形成し、その両側にガイド面６０を形成した。締結座５７の左右両側には、キャッチ体６２のスライド爪６４をスライド案内するガイド溝６５が形成してある。
【００４９】
上記の各キャッチ構造は、弾性腕型のキャッチ構造に類似しており、図１５で説明したキャッチ構造は、捕捉腕５８の構造を強化したにもかかわらず、疲労破壊のおそれがある点、および振止めローラー１９のローラー溝２５と規制リブ２８の係合を積極的に解除できない点で問題があった。図１６で説明したキャッチ構造は、ばね６３でキャッチ体６２を移動付勢するので、疲労破壊を生じることはない。しかし、図１５で説明したキャッチ構造と同様に、振止めローラー１９のローラー溝２５と規制リブ２８の係合を積極的に解除できない点で問題があった。
【００５０】
上記の実施例以外に、ガイド斜面３６の上端はピボット穴３５の開口周縁に位置させることができる。本発明のフリー折戸は、クローゼットの開口面に設置する以外に、部屋を区分する間仕切りや、部屋の出入口を開閉する折戸として使用することができる。本発明のキャッチ構造は、厚みが小さなバリアフリー対応の下ガイドレール２に適用するのに好適であるが、限定するものではない。たとえば、床面に凹み形成したレール装填溝に嵌込み装着されるバリアフリー対応の下ガイドレール２に、本発明のキャッチ構造を適用することができる。その場合の下ガイドレール２は、規制リブ２８でローラー溝２５をガイドして振止めローラー１９の抜け外れを規制するものであればよく、レール溝２７の溝深さは大きくてもよい。
【図面の簡単な説明】
【００５１】
【図１】ソケット型のキャッチ構造を示す縦断正面図である。
【図２】折戸の正面図である。
【図３】パネル対を折り畳んだ状態の縦断正面図である。
【図４】ソケットの斜視図である。
【図５】図１におけるＡ−Ａ線断面図である。
【図６】図１におけるＢ−Ｂ線断面図である。
【図７】下ガイドレールに対する振止めローラーの係合状況を示す横断平面図である。
【図８】振止めローラーがピボット穴に係合する過程を示す動作説明図である。
【図９】ソケットの別の実施例を示す斜視図である。
【図１０】ソケットと振止めローラーの係合状態を示す縦断正面図である。
【図１１】ソケットのさらに別の実施例を示す横断平面図である。
【図１２】図１１におけるＣ−Ｃ線断面図である。
【図１３】ソケットのさらに別の実施例を示す斜視図である。
【図１４】ソケットと振止めローラーの係合状態を示す縦断正面図である。
【図１５】ソケットのさらに別の実施例を示す斜視図である。
【図１６】図１５におけるＤ−Ｄ線断面図である。
【図１７】キャッチ構造の比較例を示す横断平面図である。
【図１８】キャッチ構造の別の比較例を示す横断平面図である。
【符号の説明】
【００５２】
２  下ガイドレール
３  戸パネル
６  振止めランナー
１９  振止めローラー
２０  ばね
２５  ローラー溝
２７  レール溝
２８  規制リブ
３１  ソケット
３２  締結座
３３  規制枠
３４  軸受座
３５  ピボット穴
３６  ガイド斜面
３７  矯正ガイド面
３８  矯正ガイド面
【図１】
2010047923.tif 000003
【図２】
2010047923.tif 000004
【図３】
2010047923.tif 000005
【図４】
2010047923.tif 000006
【図５】
2010047923.tif 000007
【図６】
2010047923.tif 000008
【図７】
2010047923.tif 000009
【図８】
2010047923.tif 000010
【図９】
2010047923.tif 000011
【図１０】
2010047923.tif 000012
【図１１】
2010047923.tif 000013
【図１２】
2010047923.tif 000014
【図１３】
2010047923.tif 000015
【図１４】
2010047923.tif 000016
【図１５】
2010047923.tif 000017
【図１６】
2010047923.tif 000018
【図１７】
2010047923.tif 000019
【図１８】
2010047923.tif 000020